Podtech/llm-jp-corpus-v4-ja_patent huggingface dataset:
【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】
針が装着された針棒を上下方向に移動自在に軸支する針棒支持枠本体と、
前記針棒支持枠本体に上下方向に摺動自在に軸支された軸部と、
該軸部に装着したガイドピンと前記軸部の下端に固着された揺動板とフックからなる糸通し具と、
該針棒支持枠本体に固定されるガイド溝が形成された固定板とからなり、
且つ上下方向に移動する糸通し具のフック箇所が針棒の後方側に位置し、
前記固定板に形成されたガイド溝に挿通された前記ガイドピンを介して
前記糸通し具を前記軸部を中心に回動しつつ降下させ、前記ガイド溝の下端箇所において前記糸通し具のフックが前記針棒に装着された針の針孔に挿通してなることを特徴とするミシンの糸通し装置。
【請求項２】
針が装着された針棒を上下方向に移動自在に軸支する針棒支持枠本体と、
該針棒支持枠本体に上下方向に摺動自在に軸支され常時上方に弾発支持された軸部と、
該軸部に略直交して装着したガイドピンと前記軸部の下端に固着された揺動板とフックからなる糸通し具と、
前針棒支持枠本体に固定される前記軸部に設けた前記ガイドピンを挿通し、前記軸部の上下方向の移動に従い前記軸部を軸中心に回動させる角度変移溝を含むガイド溝を有する固定板と、
該固定板に固定された案内軸に摺動自在に上下方向に移動する前記ガイド溝に沿って上下方向の移動に従って前記ガイドピンを水平方向に案内する長孔部を有する可動部と、
該可動部を前記固定板に沿って上下方向に移動させる操作レバー部とからなることを特徴とするミシンの糸通し装置。
【請求項３】
請求項２において、前記ガイド溝は上方から垂直状溝，角度変移溝及び該角度変移溝の傾斜方向に拡開し前記糸通し具のフックが針孔に挿通するセット溝とからなることを特徴とするミシンの糸通し装置。
【請求項４】
請求項２において、前記可動部の長孔部は傾斜状に形成されてなることを特徴とするミシンの糸通し装置。
【請求項５】
請求項１，２，３又は４において、前記糸通し具のフックが最下端に達し、該フックが針孔に挿通する位置において、前記ガイドピンが遊挿する遊挿溝が形成された戻し板と、前記遊挿溝の開口箇所を弾発的に遮断する戻しバネとからなるフック戻し部材を装着してなることを特徴とするミシンの糸通し装置。
【手続補正２】
【補正対象書類名】明細書
【補正対象項目名】０００５
【補正方法】変更
【補正の内容】
【０００５】
【課題を解決するための手段】
そこで発明者は、前記課題を解決すべく、鋭意，研究を重ねた結果、本発明を、針が装着された針棒を上下方向に移動自在に軸支する針棒支持枠本体と、前記針棒支持枠本体に上下方向に摺動自在に軸支された軸部と、該軸部に装着したガイドピンと前記軸部の下端に固着された揺動板とフックからなる糸通し具と、該針棒支持枠本体に固定されるガイド溝が形成された固定板とからなり、且つ上下方向に移動する糸通し具のフック箇所が針棒の後方側に位置し、前記固定板に形成されたガイド溝に挿通された前記ガイドピンを介して前記糸通し具を前記軸部を中心に回動しつつ降下させ、前記ガイド溝の下端箇所において前記糸通し具のフックが前記針棒に装着された針の針孔に挿通してなることを特徴とするミシンの糸通し装置としたことにより、駆動メスの作動と停止の切換えをツマミの位置操作のみにて簡易且つ確実に行なうことができ、前記の課題を解決したものである。
【手続補正３】
【補正対象書類名】明細書
【補正対象項目名】００３０
【補正方法】変更
【補正の内容】
【００３０】
【発明の効果】
請求項１の発明においては、前記フック４ｂが装着された糸通し具４が前記軸部２とともに回転しながら下降し、フック４ｂを前記針孔１７ａに挿通させることができ、このような一連の動作を簡単な操作により行うことができる。
【手続補正４】
【補正対象書類名】明細書
【補正対象項目名】００３１
【補正方法】変更
【補正の内容】
【００３１】
次に、請求項２の発明においては、第１に操作レバー部１２を降下させるのみで、糸通し具４の揺動板４ａの回転により針孔１７ａにフック４ｂを挿通させることができるし、第２に構造を簡単にできるし、第３にこれらの動作が極めてスムーズにできる等の効果を奏する。
【手続補正５】
【補正対象書類名】明細書
【補正対象項目名】００３６
【補正方法】変更
【補正の内容】
【００３６】
請求項４の発明においては、請求項２において、前記可動部８の長孔部９ａは傾斜状に形成されてなるミシンの糸通し装置としたことにより、前記糸通し具４の回動速度を遅くすることができる。即ち、長孔部９ａは傾斜とし、ガイドピン３は角度変移溝７ｂと傾斜状の長孔部９ａの交差する箇所に挿通した構造である。
【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】
ミシン機枠に装着されるミシンの糸調子器において、糸調子表示が設けられた糸調子つまみと、該糸調子つまみに連結して糸調子つまみの操作により一対の糸調子皿間の押圧力を調節する手段と、該手段と前記糸調子つまみとの連結を解除した状態とする解除手段と、該解除した状態から連結状態に復帰させる手段とを備えたミシンの糸調子器。
【請求項２】
ミシン機枠に装着されるミシンの糸調子器において、前記ミシン機枠に装着される糸調子器台と、該糸調子器台に固着される糸調子軸台と、該糸調子軸台と前記糸調子器台に回転可能で軸方向移動可能に支持される糸調子軸と、前記糸調子軸に嵌合して固着された円盤状の糸調子つまみ台と、該糸調子つまみ台のボス部に回転可能に嵌合すると共に軸方向移動を制限され外周に操作部と糸調子表示が設けられた糸調子つまみと、前記糸調子軸に回転可能に嵌装された一対の糸調子皿と、該糸調子皿に当接してバネの押圧力を伝達する押圧板と、前記糸調子軸に嵌装されて前記一対の糸調子皿に押圧力を付勢する糸調子バネと、前記糸調子軸に形成されたネジ部に螺合し、外周に軸方向溝が形成されたリードネジ体と、一端に前記リードネジ体の軸方向溝に係合して該リードネジ体の回転を阻止すると共に軸方向移動を案内する案内部を形成して前記糸調子軸台に固着された案内体と、前記糸調子軸台に一端で固着され、他端で前記糸調子軸の軸端に係合して常にはバネ性により前記糸調子軸を一方向に付勢する軸押しバネとを備え、前記糸調子つまみ台と前記糸調子つまみの対向する位置に前記軸押しバネの付勢により噛合する歯部をそれぞれ形成して前記糸調子つまみの回転で前記糸調子つまみ台を回転させるとともに、前記軸押しバネの付勢に抗した前記糸調子軸の軸方向移動により前記糸調子つまみ台と前記糸調子つまみの噛合を解放するようにした事を特徴とする、ミシンの糸調子器。
【手続補正２】
【補正対象書類名】明細書
【補正対象項目名】０００７
【補正方法】変更
【補正の内容】
【０００７】
【発明が解決しようとする課題】
上述の糸調子器では、操作者が糸調子表示数字により糸調子を調節するために、調整されたミシンでは、糸調子表示数字と一対の糸調子皿１０７，１０８間に付与する押圧力とは予め定めた値となるように調整されていることが求められる。
しかしながら糸調子バネ１１１や組み立て上の誤差などにより、糸調子器のミシンへの組み付け後再調整することや、設定状態を所望の値とするなどの変更を行う必要がある。
【手続補正３】
【補正対象書類名】明細書
【補正対象項目名】０００８
【補正方法】変更
【補正の内容】
【０００８】
この場合所定の糸調子表示数字に一対の糸調子皿１０７，１０８間に付与する押圧力を一致させるために、外装部品を取り外し、更に狭いミシン機枠内で案内体１１３を緩めてリードネジ体１１２を回転させて、糸調子軸１０３とてリードネジ体１１２との関係を変化させることで調整し、案内体１１３を再度固定することで、変更を行うものであった。
【手続補正４】
【補正対象書類名】明細書
【補正対象項目名】００１０
【補正方法】変更
【補正の内容】
【００１０】
本発明は、上記問題点を解消し、糸調子表示数字と一対の糸調子皿１０７，１０８間に付与する押圧力を予め定めた値となるように簡単に調整して得ることができるミシンの糸調子器を提供することを目的とする。
【手続補正５】
【補正対象書類名】明細書
【補正対象項目名】００１１
【補正方法】変更
【補正の内容】
【００１１】
【課題を解決するための手段】
上記の課題を解決し、目的を達成するための本発明は、ミシン機枠に装着されるミシンの糸調子器において、糸調子表示が設けられた糸調子つまみと、該糸調子つまみに連結して糸調子つまみの操作により一対の糸調子皿間の押圧力を調節する手段と、該手段と前記糸調子つまみとの連結を解除した状態とする解除手段と、該解除した状態から連結状態に復帰させる手段とを備えたミシンの糸調子器とすることで課題を解決した。
【手続補正６】
【補正対象書類名】明細書
【補正対象項目名】００２１
【補正方法】変更
【補正の内容】
【００２１】
【発明の効果】
以上の説明から明らかなように、本発明によれば、所定の糸調子表示数字に一対の糸調子皿間に付与する押圧力を簡単に調整して得ることができるミシンの糸調子器を提供することができる。
とくに、従来のように一致させるために、外装部品を取り外し、更に狭いミシン機枠内で案内体の取り付けを緩めてリードネジ体を回転させて、糸調子軸とリードネジ体との関係を変化させることで調整し、案内体を再度固定することではなく、本発明によれば、糸調子つまみを回転操作して張力を付与し、次に糸調子軸を移動させて糸調子つまみ５のみを回転させて糸調子表示数字とマークを一致させることで、初心者でも簡単に、特別な道具を使用せずに行うことが出来、さらに家庭の使用状態でも簡単に所望の調節を行うことができる。
【手続補正書】
【提出日】平成19年3月5日(2007.3.5)
【手続補正１】
【補正対象書類名】明細書
【補正対象項目名】００１３
【補正方法】変更
【補正の内容】
【００１３】
実施形態１
本発明の請求項１に記載された分解処理装置の一実施形態を図１により説明する。図１中、１の粗粉砕手段とは、ＰＣＢで汚染された金属部品、磁器部品を除く紙、木材、プラスチックからなる非金属部材をスラリー化するための前処理として粗粉砕するものである。粗粉砕手段としては、ＰＣＢで汚染された非金属部材を数ミリ程度に粉砕できるものであれば特に限定されないが、カッターミル等を挙げることができる。
【手続補正２】
【補正対象書類名】明細書
【補正対象項目名】００１７
【補正方法】変更
【補正の内容】
【００１７】
水は、超臨界状態では、良好な溶媒 となるため、反応器内では超臨界水、被処理物および酸化剤は均一相を形成し、超臨界水酸化反応が進行し、極めて短時間のうちに非金属部材は、Ｈ２Ｏ、ＣＯ２まで酸化分解される。超臨界水酸化分解処理後の処理流体は、冷却し、大気圧に開放して、気液分離器により処理水と排ガスに分離すればよい。
【手続補正３】
【補正対象書類名】明細書
【補正対象項目名】符号の説明
【補正方法】変更
【補正の内容】
【符号の説明】
１  粗粉砕手段
２  スラリー化手段
３  超臨界水酸化分解手段
４  細断化手段
３１  ポンプ
３２  ポンプ
３３  管状反応器
３４  加熱器
３５  冷却器
３６  焼結金属フィルター
３７  保圧弁
３８  気液分離器
【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】論理セルを一群の行に配列したアレイを備えた順序付け装置であって、
各行が対応する論理セル内にデータ値を記憶することが可能であり、各論理セルが前記データ値を受けて各行の一群の出力の状態を判定する論理機能を実行し、前記論理機能が、各行の出力状態が前記データ値の順序を示すことになるように、予め選択されており、前記論理機能が前記データ値を受けて前記行の出力の状態を判定し、一群の列が前記アレイに入力する、順序付け装置。
【請求項２】前記列入力が基準データ値を保持し、前記各行の出力状態がどの行が前記基準データ値よりも小さいデータ値を保持しているかを示す請求項１に記載の順序付け装置。
【請求項３】前記列入力が基準データ値を保持し、前記各行の出力状態がどの行が前記基準データ値よりも大きいデータ値を保持しているかを示す請求項１に記載の順序付け装置。
【請求項４】前記列入力が基準データ値を有し、前記各行の出力状態がどの行が前記基準データ値と等しいデータ値を保持しているかを示す請求項１に記載の順序付け装置。
【請求項５】論理セルを一群の行に配列したアレイを備えた順序付け装置であって、
各行が対応する論理セル内にデータ値を記憶することが可能であり、各論理セルが前記データ値を受けて各行の一群の出力の状態を判定する論理機能を実行し、前記論理機能が、各行の出力状態が前記データ値の順序を示すことになるように、予め選択されており、
前記行を個々に使用禁止とする為の回路をさらに備える、順序付け装置。
【手続補正書】
【提出日】平成18年11月6日(2006.11.6)
【手続補正１】
【補正対象書類名】明細書
【補正対象項目名】発明の名称
【補正方法】変更
【補正の内容】
【発明の名称】情報処理装置及び方法、並びに記録媒体
【手続補正２】
【補正対象書類名】明細書
【補正対象項目名】特許請求の範囲
【補正方法】変更
【補正の内容】
【特許請求の範囲】
【請求項１】  生成或いは変化したデータを時間情報と対応させて記憶する記憶手段と、
所望の日時を設定する日時設定手段と、
上記設定された日時に対応したデータの状態を、上記時間情報に基づいて再現する制御手段とを有する
ことを特徴とする情報処理装置。
【請求項２】  生成或いは変化したデータを時間情報と対応させて記憶する記憶ステップと、
所望の日時を設定する日時設定ステップと、
上記設定された日時に対応したデータの状態を、上記時間情報に基づいて再現する制御ステップとを有する
ことを特徴とする情報処理方法。
【請求項３】  上記記憶ステップでは、生成或いは変化したファイルを時間情報と対応させて記憶し、
上記日時設定ステップでは、過去又は未来の画面に応じて日時を設定し、
上記制御ステップでは、上記過去又は未来の画面に対応する日時のファイルを再現し、画面上に表示するように制御する
ことを特徴とする請求項２記載の情報処理方法。
【請求項４】  検索する文字列を入力する入力ステップと、
上記入力ステップにおいて入力された文字列に対応するファイルを過去又は未来に対して検索する検索ステップとを有する
ことを特徴とする請求項３記載の情報処理方法。
【請求項５】  上記ファイルは、文書ファイル、画像ファイル、または文字列である
ことを特徴とする請求項３記載の情報処理方法。
【請求項６】  上記制御ステップでは、上記文字列の色を時間の経過とともに変化させて上記画面上に表示するように制御する
ことを特徴とする請求項３記載の情報処理方法。
【請求項７】  上記記憶ステップでは、上記ファイルの変化した日時と上記ファイルの改訂情報を記憶する
ことを特徴とする請求項３記載の情報処理方法。
【請求項８】  上記記憶ステップでは、上記ファイルの変化前後の差分を記憶し、
上記制御ステップでは、上記時間情報に基づいて上記差分から所望のファイルを再現する
ことを特徴とする請求項３記載の情報処理方法。
【請求項９】  上記時間情報を送受信可能な時間情報送受信ステップを設け、
上記日時設定ステップでは、受信した時間情報に基づいて上記日時を設定することを特徴とする請求項２記載の情報処理方法。
【請求項１０】  位置を検出する位置検出ステップを設け、
上記記憶ステップでは、上記位置をも時間情報と対応させて記憶し、
上記日時設定ステップでは、上記位置に対応した時間情報に基づいて日時を設定する
ことを特徴とする請求項２記載の情報処理方法。
【請求項１１】  情報処理装置を、生成或いは変化したデータを時間情報と対応させて記憶する記憶手段として機能させ、
情報処理装置を、所望の日時を設定する日時設定手段として機能させ、
情報処理装置を、上記設定された日時に対応したデータの状態を、上記時間情報に基づいて再現する制御手段として機能させる
ことを特徴とするプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、情報処理装置及び方法、並びに記録媒体に関し、特に、ファイルの管理や各種情報のアクセス管理に好適な情報処理装置及び方法、並びに記録媒体に関する。
【手続補正４】
【補正対象書類名】明細書
【補正対象項目名】００１０
【補正方法】変更
【補正の内容】
【００１０】
そこで、本発明は、このような状況に鑑みてなされたものであり、ファイルやフォルダ、その他のデータの管理を容易にすることが可能な、情報処理装置及び方法、並びに記録媒体に関する。
【手続補正５】
【補正対象書類名】明細書
【補正対象項目名】００１７
【補正方法】変更
【補正の内容】
【００１７】
次に、本発明のプログラムを記録したコンピュータ読み取り可能な記録媒体は、情報処理装置を生成或いは変化したデータを時間情報と対応させて記憶する記憶手段として機能させ、情報処理装置を所望の日時を設定する日時設定手段として機能させ、情報処理装置を上記設定された日時に対応したデータの状態を上記時間情報に基づいて再現する制御手段として機能させることにより、上述した課題を解決する。
【手続補正６】
【補正対象書類名】明細書
【補正対象項目名】０１２５
【補正方法】変更
【補正の内容】
【０１２５】
【発明の効果】
以上の如く、本発明の情報処理装置及び方法、並びに記録媒体によれば、生成或いは変化したデータを時間情報と対応させて記憶し、所望の日時を設定し、この設定された日時に対応したデータの状態を時間情報に基づいて再現することにより、ファイルやフォルダ、その他のデータの管理を容易にすることが可能である。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
計測空間に静磁場を発生させる手段と、上記静磁場発生手段の計測空間側表面上に複数の固定手段を用いて固定された傾斜磁場発生手段を備えた磁気共鳴イメージング装置において、
上記固定手段は、上記傾斜磁場発生手段上に不規則に配置されていることを特徴とする磁気共鳴イメージング装置。
【請求項２】
請求項１記載の磁気共鳴イメージング装置において、上記固定手段はボルトであり、上記傾斜磁場発生手段に不規則に配置されたボルト穴に上記ボルトを通して上記傾斜磁場発生手段が上記静磁場発生手段に固定されたことを特徴とする磁気共鳴イメージング装置。
【請求項３】
請求項１記載の磁気共鳴イメージング装置において、上記固定手段はボルトであり、上記傾斜磁場発生手段は、複数種類の穴径を持つボルト穴が不規則に形成され、上記ボルトを用いて上記静磁場発生手段に固定されたことを特徴とする磁気共鳴イメージング装置。
【請求項４】
請求項２又は３記載の磁気共鳴イメージング装置において、上記ボルトのうち少なくとも一つは、非対称形状を有する、ワッシャーの長手方向が振動の経路に対して垂直となるように配置されていることを特徴とする磁気共鳴イメージング装置。
【請求項５】
請求項１記載の磁気共鳴イメージング装置において、上記固定手段は、上記傾斜磁場発生手段を上記静磁場発生手段に接着する接着部材であることを特徴とする磁気共鳴イメージング装置。
【請求項６】
請求項1記載の磁気共鳴イメージング装置において、
上記傾斜磁場発生手段は、上記固定手段の間の互いに隣接する形成部材どうしが互いに異なる共鳴周波数を持つように異なる厚さ寸法を有することを特徴とする磁気共鳴イメージング装置。
【手続補正２】
【補正対象書類名】明細書
【補正対象項目名】００１１
【補正方法】変更
【補正の内容】
【００１１】
上記目的を達成するため、本発明は次のように構成される。
（１）本発明の磁気共鳴イメージング装置は、計測空間に静磁場を発生させる手段と、上記静磁場発生手段の計測空間側表面上に複数の固定手段を用いて固定された傾斜磁場発生手段を備える。
そして、上記固定手段は、上記傾斜磁場発生手段上に不規則に配置されている。
【手続補正３】
【補正対象書類名】明細書
【補正対象項目名】００１２
【補正方法】変更
【補正の内容】
【００１２】
（２）好ましくは、上記（１）において、上記固定手段はボルトであり、上記傾斜磁場発生手段に不規則に配置されたボルト穴に上記ボルトを通して上記傾斜磁場発生手段が上記静磁場発生手段に固定される。
【手続補正４】
【補正対象書類名】明細書
【補正対象項目名】００１６
【補正方法】変更
【補正の内容】
【００１６】
（６）また、好ましくは、上記（１）において、上記傾斜磁場発生手段は、上記固定手段の間の互いに隣接する形成部材どうしが互いに異なる共鳴周波数を持つように異なる厚さ寸法を有する。
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
所定条件の成立により、遊技球を受け入れない第１状態と、遊技球を受け入れ易い第２状態とに変換する変動入賞装置と、該変動入賞装置の下方に配設される入賞口と、を備えた遊技機において、
前記変動入賞装置は、
凹室を有するとともに、該凹室の奥側面上部に入賞口となる開口部を有する平板状の取付ベースと、
前記凹室内両側部に軸着され、凹室内に嵌入状態になる平板状の開閉部材とからなり、
前記開閉部材は、
軸部上部の開閉部と、軸部下部の案内部と、を有し、
前記開閉部材を第２状態である転倒状態に変換した際に、前記開閉部が凹室内へ侵入して該開閉部と開口部によって区画される入賞領域に、前記案内部により案内された遊技球を導入可能とし、
一方、前記開閉部材を第１状態である起立状態に変換した際に、前記開閉部材が入賞口への遊技球の入賞を阻止するように構成し、
前記案内部に壁部を立設し、開閉部材が第１状態において、前記壁部の内側面が遊技球の転動面となるようにしたことを特徴とする遊技機。
【請求項２】
前記入賞口の真上に当たる前記壁部の内側面に、球案内凹部を形成したことを特徴とする請求項１に記載の遊技機。
【請求項３】
前記壁部に曲率を持たせて凹曲面としたことを特徴とする請求項１または２に記載の遊技機。
【請求項４】
前記壁部として、前記案内部の外周縁に下側壁部を立設するとともに、前記下側壁部より上方に上側壁部を立設してこれらの間が停留部となるように構成し、
前記第１状態においては前記上側壁部の上面を遊技球の転動面とするとともに、前記第２状態においては前記停留部に遊技球を停留可能としたことを特徴とする請求項１から３のいずれかに記載の遊技機。
【手続補正２】
【補正対象書類名】明細書
【補正対象項目名】０００６
【補正方法】変更
【補正の内容】
【０００６】
本発明は、上記に鑑み提案されたものであり、請求項１に記載のものは、所定条件の成立により、遊技球を受け入れない第１状態と、遊技球を受け入れ易い第２状態とに変換する変動入賞装置と、該変動入賞装置の下方に配設される入賞口と、を備えた遊技機において、
前記変動入賞装置は、
凹室を有するとともに、該凹室の奥側面上部に入賞口となる開口部を有する平板状の取付ベースと、
前記凹室内両側部に軸着され、凹室内に嵌入状態になる平板状の開閉部材とからなり、
前記開閉部材は、
軸部上部の開閉部と、軸部下部の案内部と、を有し、
前記開閉部材を第２状態である転倒状態に変換した際に、前記開閉部が凹室内へ侵入して該開閉部と開口部によって区画される入賞領域に、前記案内部により案内された遊技球を導入可能とし、
一方、前記開閉部材を第１状態である起立状態に変換した際に、前記開閉部材が入賞口への遊技球の入賞を阻止するように構成し、
前記案内部に壁部を立設し、開閉部材が第１状態において、前記壁部の内側面が遊技球の転動面となるようにしたことを特徴とする遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載のものは、前記入賞口の真上に当たる前記壁部の内側面に、球案内凹部を形成したことを特徴とする請求項１に記載の遊技機である。
【手続補正５】
【補正対象書類名】明細書
【補正対象項目名】０００９
【補正方法】変更
【補正の内容】
【０００９】
請求項３に記載のものは、前記壁部に曲率を持たせて凹曲面としたことを特徴とする請求項１または２のいずれかに記載の遊技機である。
【手続補正６】
【補正対象書類名】明細書
【補正対象項目名】００１０
【補正方法】変更
【補正の内容】
【００１０】
請求項４に記載のものは、前記壁部として、前記案内部の外周縁に下側壁部を立設するとともに、前記下側壁部より上方に上側壁部を立設してこれらの間が停留部となるように構成し、
前記第１状態においては前記上側壁部の上面を遊技球の転動面とするとともに、前記第２状態においては前記停留部に遊技球を停留可能としたことを特徴とする請求項１から３のいずれかに記載の遊技機である。
【手続補正７】
【補正対象書類名】明細書
【補正対象項目名】００１１
【補正方法】変更
【補正の内容】
【００１１】
本発明の遊技機によれば、次のような優れた効果を奏する。
即ち、請求項１に記載の発明によれば、開閉部材が第２状態である転倒状態に変換した際に、開閉部が凹室内へ侵入して該開閉部と開口部によって区画される入賞領域に、前記案内部により案内された遊技球を導入可能となる一方、開閉部材の案内部に壁部を立設することにより、開閉部材が第１状態である起立状態に変換した際に、壁部の内側面で遊技球を転動させることを可能となるので、多機能で新規な開放構造の開閉部材を有する変動入賞装置を構成することができ、遊技の興趣を高めることができる。
また、変動入賞装置の下方に入賞口を配設することにより、壁部の内側面を転動する遊技球を該入賞口に誘導する機能、即ち、いわゆるセンターケースのステージのような機能を有し、遊技の興趣を高めることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２に記載の発明によれば、上記請求項１の効果に加えて、壁部の内側面に凹部を形成することにより、より効果的に遊技球を下方の入賞口へと誘導することができる。
【手続補正１０】
【補正対象書類名】明細書
【補正対象項目名】００１４
【補正方法】変更
【補正の内容】
【００１４】
請求項３に記載の発明によれば、案内部に立設した壁部に曲率を持たせて凹曲面としたことにより、転動面となる壁部の内側面において遊技球が往復揺動するので、球見せ時間を長くすることができるとともに、往復揺動が次第に小さくなって遊技球が中央に集まり易くなる。したがって、入賞に対する期待感が高まるとともに、遊技の興趣を高めることができる。
【手続補正１１】
【補正対象書類名】明細書
【補正対象項目名】００１５
【補正方法】変更
【補正の内容】
【００１５】
請求項４に記載の発明によれば、第１状態においては上側壁部の上面が遊技球の転動面として機能するとともに、第２状態において上側壁部と下側壁部との間の停留部に遊技球を停留させ、第１状態に変動した際に停留されていた遊技球を変動入賞装置の下方に配設した入賞口へ向けて一気に流下させ、保留装置のような役割を果たすことができる。したがって、入賞に対する期待感が高まるとともに、遊技の興趣を高めることができる。
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
実質的に平坦な形状を有し、異なる方向の傾斜磁場を発生する複数のコイルを含む磁気共鳴イメージング装置用傾斜磁場コイルであって、少なくともその一方の面に電磁気的機能を有しない冷却配管が配置されるとともに、前記複数のコイルの一つは内部に冷媒の流路を有する冷却コイルであることを特徴とする傾斜磁場コイル。
【請求項２】
前記冷却配管は、無誘導巻きされた単層からなることを特徴とする請求項１記載の傾斜磁場コイル。
【請求項３】
請求項１又は２に記載の傾斜磁場コイルであって、
前記冷却配管と冷却コイルの各配管は圧力損失が同等で同じ冷媒循環系に接続されていることを特徴とする傾斜磁場コイル。
【請求項４】
実質的に平坦な形状を有し、異なる方向の傾斜磁場を発生する複数のコイルを含む磁気共鳴イメージング装置用傾斜磁場コイルであって、前記複数のコイルの一つは内部に冷媒の流路を有する冷却コイルであって、他のコイルの間に配置されていることを特徴とする傾斜磁場コイル。
【請求項５】
実質的に平坦な形状を有し、少なくとも一方向の傾斜磁場を発生する複数のコイルを含む磁気共鳴イメージング装置用傾斜磁場コイルであって、その少なくとも一方の面に、無誘導巻きされた単層からなる冷却配管が配置されていることを特徴とする傾斜磁場コイル。
【請求項６】
実質的に平坦な形状を有し、異なる方向の傾斜磁場を発生する複数のコイルからなるメインコイルと、実質的に平坦な形状を有し、前記メインコイルの発生する傾斜磁場を打ち消す傾斜磁場を発生するシールドコイルとを備えた磁気共鳴イメージング装置用傾斜磁場コイルであって、
前記メインコイル及びシールドコイルの少なくとも一方が請求項１から５いずれか１項記載の傾斜磁場コイルであることを特徴とする磁気共鳴イメージング装置用傾斜磁場コイル。
【請求項７】
請求項６に記載の傾斜磁場コイルであって、
前記メインコイル及び前記シールドコイルは、それぞれ、前記冷却配管を備え、前記メインコイル及び前記シールドコイルの冷却配管は直列接続されていることを特徴とする傾斜磁場コイル。
【請求項８】
撮像空間を挟んで対向配置される一対の静磁場磁石と、前記一対の静磁場磁石の各々に近接して配置された平板状の傾斜磁場コイルとを備えた磁気共鳴イメージング装置において、前記傾斜磁場コイルとして請求項１から７いずれか１項記載の傾斜磁場コイルと、熱交換器と循環ポンプとを有して前記冷媒を循環させる手段とを備えたことを特徴とする磁気共鳴イメージング装置。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
遊技機に用いられる部品であって複数個の構成部品から成る装飾部品を、遊技者が視認可能な箇所に配設した遊技機において、
前記複数個の構成部品は、そのうちの一つの部品である第１構成部品と、前記第１構成部品とは別体でかつ別色とした一つの部品である第２構成部品とを含み、
前記第２構成部品は、前記第１構成部品に取り付けられるものであり、
前記第１構成部品は、その正面側で前記第２構成部品が取り付けられる取付空間に隣接する第１箇所に、前記第２構成部品の裏面側の所定部分が当接される第１被当接部を備え、かつ、当該正面側で前記第１箇所とは別の第２箇所に、前記第２構成部品の一部が嵌合される嵌合孔を備え、さらに、その裏面側で前記第１箇所および前記第２箇所以外の第３箇所に、前記第２構成部品の正面側の所定部分が当接される第２被当接部を備え、
前記第２構成部品は、その裏面側の所定部分が前記第１構成部品の前記第１被当接部に当接するように突出した突出部と、前記第１構成部品の前記嵌合孔に嵌入する嵌入部と、前記第１構成部品の裏面側で前記第３箇所に当接する当接部とを備え、
前記第２構成部品は、前記第１構成部品に取り付けられた状態では、その突出部が前記第１構成部品の前記第１被当接部に当接することで前記第１構成部品を正面視した状態での奥方向への移動が規制され、かつ、その当接部が前記第１構成部品の前記第２被当接部に当接することで前記第１構成部品を正面視した状態での手前方向への移動が規制されるようになっている
ことを特徴とする遊技機。
【請求項２】
請求項１に記載の遊技機において、
前記装飾部品は、遊技球が打ち込まれる遊技領域を有する遊技盤の所定箇所に配設される部品であり、
遊技領域内の所定箇所に設けられ、遊技球が入球可能な特定入球口と、
遊技領域内に設けられ、遊技球が前記特定入球口に入球することに基づいて識別情報を変動表示する識別情報変動表示手段と、を備え、
前記装飾部品は、前記識別情報変動表示手段の表示領域の周縁所定部位に配設される表示領域周縁装飾部品であり、
前記表示領域周縁装飾部品は、遊技球を転動させる転動面を備え、
前記第１構成部品は、前記表示領域周縁装飾部品を正面視した状態での当該表示領域周縁装飾部品の前面側に用いられる前側枠体であり、
前記第２構成部品は、前記転動面に供給された遊技球を前記特定入球口の方に向けて出力するための出力口部品である
ことを特徴とする遊技機。
【請求項３】
請求項２に記載の遊技機において、
前記出力口部品は、遊技球の出力口を有する端面部材と、前記転動面から供給された遊技球を前記出力口に案内する案内通路とを備えたものである
ことを特徴とする遊技機。
【請求項４】
請求項３に記載の遊技機において、
前記前側枠体は、当該前側枠体を正面視した状態で前記第１被当接部の両側に前記嵌合孔をそれぞれ設けたものであり、
前記出力口部品は、当該出力口部品を正面視した状態で前記端面部材での前記突出部の上側に前記出力口が位置しているものであり、前記前側枠体の各嵌合孔に対応するように前記嵌入部を前記端面部材の前記出力口の両側にそれぞれ設けたものであり、
前記出力口部品の前記当接部は、前記端面部材と前記嵌入部とを結ぶ支持部材の所定箇所に対応するものであり、
前記嵌合孔と前記嵌入部とは、それらを嵌合させるという目的の他にさらに装飾的要素を有する形状としているものである
ことを特徴とする遊技機。
【手続補正書】
【提出日】平成19年3月8日(2007.3.8)
【手続補正１】
【補正対象書類名】特許請求の範囲
【補正対象項目名】請求項６
【補正方法】変更
【補正の内容】
【請求項６】
上記弾性部材５が上記レッグギャザー形成用弾性部材５ｂを含む請求項１または２に記載のパンツタイプ着用物品１３の製造方法において、上記工程ロを施す前に、上記レッグギャザー形成用弾性部材５ｂを設けた上記第１弾性シート６および／または上記第２弾性シート７の対向縁６ａ、７ａをアウターシート長さ方向Ａに切断することにより、上記吸収体８が重なる部分の上記レッグギャザー形成用弾性部材５ｂを取り除くことを特徴とするパンツタイプ着用物品の製造方法。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
鋸刃ハウジングに回転自在に支持された駆動ホイール（１７）と従動ホイール（２１）とに環状の帯鋸刃（２３）を掛回して備えた帯鋸盤における切粉除去装置であって、前記帯鋸刃（２３）の両側から当該帯鋸刃（２３）へ押圧される一対のブラシ（５７Ａ，５７Ｂ）を先端部に備えた一対のブラシ軸（５９Ａ，５９Ｂ）を、前記先端部が前記帯鋸刃（２３）に対して接近，離反する方向へ回動可能に設けると共に前記帯鋸刃（２３）に接近する方向へ付勢して設け、前記一対のブラシ（５７Ａ，５７Ｂ）の摩耗を検出するために設けたセンサー（７１）に対して接近離反する方向へ移動自在かつ上記センサー（７１）から離反する方向へ付勢された被検出軸（８１）を設け、前記付勢力に抗して前記被検出軸（８１）を押圧可能な押圧レバー（９３）を前記各ブラシ軸（５９Ａ，５９Ｂ）に備え、前記一対のブラシ（５７Ａ，５７Ｂ）の何れか一方または両方が摩耗した場合に、前記ブラシ軸（５９Ａ，５９Ｂ）の一方又は両方の回動を検出して前記ブラシ（５７Ａ，５７Ｂ）の摩耗を検出する構成であることを特徴とする帯鋸盤における切粉除去装置。
【請求項２】
請求項１に記載の帯鋸盤における切粉除去装置において、前記一対のブラシ軸（５９Ａ，５９Ｂ）は、前記一対のブラシ（５７Ａ，５７Ｂ）が前記帯鋸刃（２３）を押圧するように付勢自在かつ前記一対のブラシ（５７Ａ，５７Ｂ）を前記帯鋸刃（２３）から離反した状態に付勢自在に構成してあることを特徴とする帯鋸盤における切粉除去装置。
【請求項３】
請求項１又は２に記載の帯鋸盤における切粉除去装置において、前記ブラシの回転方向は、走行している前記帯鋸刃の刃元側から刃先側方向であることを特徴とする帯鋸盤における切粉除去装置。
【請求項４】
請求項１，２又は３に記載の帯鋸盤における切粉除去装置において、前記一対のブラシ軸（５９Ａ，５９Ｂ）は共通のモータ（３３）によって回転される構成であることを特徴とする帯鋸盤における切粉除去装置。
【手続補正２】
【補正対象書類名】明細書
【補正対象項目名】０００６
【補正方法】変更
【補正の内容】
【０００６】
本発明は、前述のごとき問題に鑑みてなされたもので、鋸刃ハウジングに回転自在に支持された駆動ホイール（１７）と従動ホイール（２１）とに環状の帯鋸刃（２３）を掛回して備えた帯鋸盤における切粉除去装置であって、前記帯鋸刃（２３）の両側から当該帯鋸刃（２３）へ押圧される一対のブラシ（５７Ａ，５７Ｂ）を先端部に備えた一対のブラシ軸（５９Ａ，５９Ｂ）を、前記先端部が前記帯鋸刃（２３）に対して接近，離反する方向へ回動可能に設けると共に前記帯鋸刃（２３）に接近する方向へ付勢して設け、前記一対のブラシ（５７Ａ，５７Ｂ）の摩耗を検出するために設けたセンサー（７１）に対して接近離反する方向へ移動自在かつ上記センサー（７１）から離反する方向へ付勢された被検出軸（８１）を設け、前記付勢力に抗して前記被検出軸（８１）を押圧可能な押圧レバー（９３）を前記各ブラシ軸（５９Ａ，５９Ｂ）に備え、前記一対のブラシ（５７Ａ，５７Ｂ）の何れか一方または両方が摩耗した場合に、前記ブラシ軸（５９Ａ，５９Ｂ）の一方又は両方の回動を検出して前記ブラシ（５７Ａ，５７Ｂ）の摩耗を検出する構成であることを特徴とするものである。
【手続補正３】
【補正対象書類名】明細書
【補正対象項目名】０００７
【補正方法】変更
【補正の内容】
【０００７】
また、前記帯鋸盤における切粉除去装置において、前記一対のブラシ軸（５９Ａ，５９Ｂ）は、前記一対のブラシ（５７Ａ，５７Ｂ）が前記帯鋸刃（２３）を押圧するように付勢自在かつ前記一対のブラシ（５７Ａ，５７Ｂ）を前記帯鋸刃（２３）から離反した状態に付勢自在に構成してあることを特徴とするものである。
【手続補正４】
【補正対象書類名】明細書
【補正対象項目名】０００８
【補正方法】変更
【補正の内容】
【０００８】
また、前記帯鋸盤における切粉除去装置において、前記ブラシの回転方向は、走行している前記帯鋸刃の刃元側から刃先側方向であることを特徴とするものである。
【手続補正５】
【補正対象書類名】明細書
【補正対象項目名】０００９
【補正方法】変更
【補正の内容】
【０００９】
また、前記帯鋸盤における切粉除去装置において、前記一対のブラシ軸（５９Ａ，５９Ｂ）は共通のモータ（３３）によって回転される構成であることを特徴とするものである。
【手続補正６】
【補正対象書類名】明細書
【補正対象項目名】００１０
【補正方法】削除
【補正の内容】
【手続補正書】
【提出日】平成18年11月24日(2006.11.24)
【手続補正１】
【補正対象書類名】明細書
【補正対象項目名】０００２
【補正方法】変更
【補正の内容】
【０００２】
下水処理場においては、脱水機で凝集剤を用いて汚泥を脱水し、この脱水汚泥を乾燥機で乾燥した後、この乾燥汚泥を焼却炉で焼却処理するとともに、焼却に伴い発生する排ガスをスクラバで水等の洗浄液と接触させて洗浄することが行われている。このスクラバの排液は、下水汚泥焼却処理システムの最終的な廃熱量の半分以上を占めるため、その有効利用が求められている。
【手続補正２】
【補正対象書類名】明細書
【補正対象項目名】０００８
【補正方法】変更
【補正の内容】
【０００８】
（作用効果）
本項記載の発明は、請求項１記載の発明と同様の作用効果を奏し、特に廃熱を利用して脱水汚泥を自燃レベルまで乾燥させることにより、焼却炉において燃焼継続のための燃料が不要となり、ランニングコストを顕著に低減させることができるものである。
【手続補正３】
【補正対象書類名】明細書
【補正対象項目名】００２６
【補正方法】変更
【補正の内容】
【００２６】
さらに、脱水汚泥を自燃レベルまで乾燥させるために、乾燥機２内の気圧を低下させるための真空吸引手段が設けられている。具体的に図示形態では、乾燥機２内で発生する排ガス（脱水汚泥から除去された水分を主体とする）を真空ポンプ７で吸引するように構成している。この場合、排ガスは除湿装置８を介して除湿した後焼却炉３に供給し、燃焼空気とするのが好ましい。除湿装置８は特に限定されないが、スクラバやミストセパレータを好適に使用することができる。真空ポンプ７による吸引の度合い（乾燥機内の気圧）は、温水による加熱条件や乾燥機２の処理量、脱水汚泥の水分量等を考慮して適宜設定すれば良いが、通常の場合、約１００００〜１５０００Ｐａ程度とするのが好ましい。
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
枚葉基板上に大気圧プラズマ処理を行った後に塗膜を形成する方法であって、反応器で生成したプラズマをスリット状の吹き出し口より吹き出し、かつ枚葉基板の幅よりも広い処理幅を有する大気圧プラズマ装置の吹き出し口と枚葉基板を相対的に移動させて枚葉基板の全面を大気圧プラズマ処理した後に、塗液を枚葉基板上に塗布することを特徴とする塗膜の形成方法。
【請求項２】
大気圧プラズマ処理後、３０分以内に塗液を塗布することを特徴とする請求項１に記載の塗膜の形成方法。
【請求項３】
大気圧プラズマを吹き出す吹き出し口と、基板との間隔が１〜１０ｍｍの範囲内であることを特徴とする請求項１または２に記載の塗膜の形成方法。
【請求項４】
大気圧プラズマ処理後の基板を、冷却した後、塗液を塗布することを特徴とする請求項１〜３のいずれかに記載の塗膜の形成方法。
【請求項５】
大気圧プラズマ装置の処理ガスが窒素と酸素もしくは空気の混合ガスであることを特徴とする請求項１〜４のいずれかに記載の塗膜の形成方法。
【請求項６】
大気圧プラズマの吹き出し角度が、基板に対して４５°〜１３５°の間であることを特徴とする請求項１〜５のいずれかに記載の塗膜の形成方法。
【請求項７】
大気圧プラズマ処理前または／および処理後に基板の除電を行うことを特徴とする請求項１〜６のいずれかに記載の塗膜の形成方法。
【請求項８】
大気圧プラズマ処理を実施する際の基板の温度が１０℃以上１５０℃以下であることを特徴とする請求項１〜７のいずれかに記載の塗膜の形成方法。
【請求項９】
大気圧プラズマ処理後の基板を、洗浄液を用いて洗浄した後、塗液を塗布することを特徴とする請求項１〜８のいずれかに記載の塗膜の形成方法。
【請求項１０】
請求項１〜９のいずれかに記載の塗膜の形成方法を用いることを特徴とするカラーフィルタの製造方法。
【手続補正２】
【補正対象書類名】明細書
【補正対象項目名】００１８
【補正方法】変更
【補正の内容】
【００１８】
前記問題点を解決するために、本発明の塗膜形成方法は以下の構成をとる。
（１）  枚葉基板上に大気圧プラズマ処理を行った後に塗膜を形成する方法であって、反応器で生成したプラズマをスリット状の吹き出し口より吹き出し、かつ枚葉基板の幅よりも広い処理幅を有する大気圧プラズマ装置の吹き出し口と枚葉基板を相対的に移動させて枚葉基板の全面を大気圧プラズマ処理した後に、塗液を枚葉基板上に塗布することを特徴とする塗膜の形成方法。
（２）  大気圧プラズマ処理後、３０分以内に塗液を塗布することを特徴とする（１）に記載の塗膜の形成方法。
（３）  大気圧プラズマを吹き出す吹き出し口と、基板との間隔が１〜１０ｍｍの範囲内であることを特徴とする（１）または（２）に記載の塗膜の形成方法。
（４）  大気圧プラズマ処理後の基板を、冷却した後、塗液を塗布することを特徴とする（１）〜（３）のいずれかに記載の塗膜の形成方法。
（５）  大気圧プラズマ装置の処理ガスが窒素と酸素もしくは空気の混合ガスであることを特徴とする（１）〜（４）のいずれかに記載の塗膜の形成方法。
（６）  大気圧プラズマの吹き出し角度が、基板に対して４５°〜１３５°の間であることを特徴とする（１）〜（５）のいずれかに記載の塗膜の形成方法。
（７）  大気圧プラズマ処理前または／および処理後に基板の除電を行うことを特徴とする（１）〜（６）のいずれかに記載の塗膜の形成方法。
（８）  大気圧プラズマ処理を実施する際の基板の温度が１０℃以上１５０℃以下であることを特徴とする（１）〜（７）のいずれかに記載の塗膜の形成方法。
（９）  大気圧プラズマ処理後の基板を、洗浄液を用いて洗浄した後、塗液を塗布することを特徴とする（１）〜（８）のいずれかに記載の塗膜の形成方法。
（１０）  （１）〜（９）のいずれかに記載の塗膜の形成方法を用いることを特徴とするカラーフィルタの製造方法。
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
搬器を供給する搬器供給装置（イ）から送り出され、薬剤払出機（ロ）から払い出されて搬送装置（ハ）により搬送されているカード状の表示部材が装着された搬器Ｔに薬剤を収集する薬剤収集装置において、上記カード状の表示部材の記録層に患者名等の書込み消去を繰り返し可能な書込み手段２０と、処方箋による薬剤情報に基づいて払い出された薬剤を搬器Ｔに収集し、上記書込み手段２０により患者名等の情報を書込み消去した表示部材が装着された搬器Ｔを終端まで搬送可能に制御する制御装置３０とを備えたことを特徴とする薬剤収集装置。
【請求項２】
前記搬器Ｔに装着されたカード状の表示部材に表示された先の患者名情報を消去した後、新たな患者名等をカード状の表示部材に書込むように前記書き込み手段２０により書き込み消去を制御装置３０により制御するようにしたことを特徴とする請求項１に記載の薬剤収集装置。
【請求項３】
前記搬送装置（ハ）の終端に搬器払出リフタカート（ニ）を配置し、処方箋による薬剤情報に基づいて、搬器Ｔに薬剤を払い出して収集し、前記制御装置３０により処方箋による薬剤情報に基づいて新たな患者名情報を書込んだカード状の表示部材が装着された搬器Ｔを搬器排出リフタカート（ニ）に収集し得るようにしたことを特徴とする請求項２に記載の薬剤収集装置。
【請求項４】
前記搬送装置（ハ）に沿ってカード着脱移送手段１０を設置し、このカード着脱移送手段１０を制御装置３０により制御して前記カード状の表示部材を搬器Ｔに着脱するようにしたことを特徴とする請求項２又は３に記載の薬剤収集装置。
【手続補正２】
【補正対象書類名】明細書
【補正対象項目名】０００１
【補正方法】変更
【補正の内容】
【０００１】
この発明は、医薬品類用搬器に備えられた表示部材の表示内容を書込み消去自在に書き替えて表示する搬器表示部材の書込み装置を備え、搬送される搬器に薬剤を払出し、収集する薬剤収集装置に関する。
【手続補正３】
【補正対象書類名】明細書
【補正対象項目名】００１２
【補正方法】変更
【補正の内容】
【００１２】
この発明は、上記の種々の問題点に留意して、繰り返して書込み消去のできる安価な表示部材を利用してこれを搬器に装着し、表示部材に患者名情報を書込み消去自在に書込むことができる搬器表示部材の書込み装置を備え、搬送される搬器に薬剤を払出し、収集する薬剤収集装置を提供することを課題とする。
【手続補正４】
【補正対象書類名】明細書
【補正対象項目名】００１３
【補正方法】変更
【補正の内容】
【００１３】
この発明は、上記の課題を解決する手段として、搬器を供給する搬器供給装置から送り出され搬送装置により搬送されているカード状の表示部材が装着された搬器に薬剤を払い出し、収集する薬剤収集装置において、前記カード状の表示部材の記録層に患者名情報等の書込み消去を繰り返し可能な書込み手段と、上記書込み手段により患者名等の情報を書込み消去した表示部材が装着された搬器を終端まで搬送可能に制御する制御装置とを備えたことを特徴とする薬剤収集装置の構成としたのである。
【手続補正５】
【補正対象書類名】明細書
【補正対象項目名】００１４
【補正方法】変更
【補正の内容】
【００１４】
上記構成の薬剤収集装置における書込み装置は、医薬品類を病院や薬局内で自動搬送又は手作業で運ぶのに用いられる搬器の側面にカード状の表示部材を付着させ、これに患者名情報を消去書込み自在に表示するための装置であり、患者名情報を表示することにより搬器内の医薬品類が正しく患者に手渡され、あるいは病院内で分配されるのに手助けとなることを期するものである。
【手続補正６】
【補正対象書類名】明細書
【補正対象項目名】００１６
【補正方法】変更
【補正の内容】
【００１６】
以上、詳細に説明したように、この発明の薬剤収集装置は、カード状の表示部材の記録層に患者名情報を、書込み消去を繰り返し可能な書き込み手段と、カード状の表示部材に患者名情報を繰り返し消去、書込む制御を行う制御装置とを備えるようにしたから、搬器の表示部材に患者名情報を繰り返し書込み、消去でき、粘着剤による汚れが生じることもなく、衛生的で作業の効率化が図られ、人為的なミスの発生を防止でき、かつＩＣカードや表示器のように高価な部材を使用することなく安価な表示部材の利用が可能となるという利点が得られる。
【手続補正７】
【補正対象書類名】明細書
【補正対象項目名】００１７
【補正方法】変更
【補正の内容】
【００１７】
以下、この発明の実施の形態について図面を参照して説明する。図１は実施形態の搬器表示部材の書き込み装置を搬送装置に備えたアンプル収集装置の全体概略構成を示す。図示のアンプル収集装置は、中央のアンプル払い出し機（ロ）から払い出されるアンプルを、アンプル収集装置に沿って設置される搬送装置（ハ）の始端に設置される搬器供給装置（イ）から送り出される搬器Ｔに払い出して投入し、搬送装置（ハ）により終端まで搬送した後搬器を搬器排出リフタカート（ニ）内に送り込むように構成されている。このカート内では複数列の各列毎にリフタにより搬器Ｔが積み上げられ、所定の患者数の搬器が一時的に集められた後、薬局又は病棟ナースステーション等へカートが移送される。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
極低炭素鋼を熱間圧延するにあたり、スラブコーナ部の変態開始が粗後段圧延開始以降となるように鋼中のＭｎ含有量を調整し、該Ｍｎ含有量が調整されたスラブを、スラブコーナ部が粗後段入側までは未変態のままで粗圧延することを特徴とする極低炭素鋼のエッジシーム削減方法。
【請求項２】
前記Ｍｎ含有量の調整は、Ｍｎ：０．０５〜０．１５％の範囲内でＭｎを増量させるものであることを特徴とする請求項１に記載のエッジシーム削減方法。
【手続補正２】
【補正対象書類名】明細書
【補正対象項目名】００１０
【補正方法】変更
【補正の内容】
【００１０】
すなわち、本発明は、極低炭素鋼を熱間圧延するにあたり、スラブコーナ部の変態開始が粗後段圧延開始以降となるように鋼中のＭｎ含有量を調整し、該Ｍｎ含有量が調整されたスラブを、スラブコーナ部が粗後段入側までは未変態のままで粗圧延することを特徴とする極低炭素鋼のエッジシーム削減方法である。本発明では、前記Ｍｎ含有量の調整は、Ｍｎ：０．０５〜０．１５％の範囲内でＭｎを増量させるものであることが好ましい。
【手続補正３】
【補正対象書類名】明細書
【補正対象項目名】００１５
【補正方法】変更
【補正の内容】
【００１５】
スラブ加熱温度は、１１００〜１２３０℃の範囲が好適である。スラブコーナ部の範囲は、スラブ幅端の角から約３０ｍｍ幅の表面部分と同角から約３０ｍｍ幅の幅端面部分とを二側面とする三角柱の内部領域とみておけばよい。本発明にいう粗後段圧延開始とは、粗圧延において、同一被圧延材の入側厚が初めてスラブ初期厚の３５％以下になるスタンドでの圧延開始のことである。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
鋼スラブを再加熱した後、複数パスの粗圧延と仕上圧延とを行い熱延鋼板を製造する方法において、粗圧延の最終パスの圧下率を４０％以上とすることを特徴とするスケール性欠陥のない熱延鋼板の製造方法。
【請求項２】
上記製造方法において、スラブ加熱温度を１１３０℃以上とすることを特徴とする請求項１に記載の製造方法。
【手続補正２】
【補正対象書類名】明細書
【補正対象項目名】０００９
【補正方法】変更
【補正の内容】
【０００９】
すなわち、スラブを再加熱した後、複数パスの粗圧延と仕上圧延とを行い熱延鋼板を製造する方法において、粗圧延の最終パスの圧下率を４０％以上とすることを特徴とするスケール性欠陥のない熱延鋼板の製造方法である。
【手続補正３】
【補正対象書類名】明細書
【補正対象項目名】００１５
【補正方法】変更
【補正の内容】
【００１５】
上記のように、本発明においては、粗圧延の最終パスの圧下率を高くする必要があり、その効果を確実に得るためには４０％以上が必要である。ただし、圧下率を高くし過ぎると、噛み込み不良や圧延荷重の増大による圧延トラブルの原因となったり、あるいはロール疵発生の原因となったりするので、上限は５０％程度に止めるのが好ましい。
【手続補正４】
【補正対象書類名】明細書
【補正対象項目名】００１７
【補正方法】変更
【補正の内容】
【００１７】
なお、デスケーリングの強化等は特に必要とせず、通常の操業条件において、粗圧延の最終パスの圧下率を４０％以上とするよう圧下率配分を変更するだけで、スケール性欠陥を低減することができる。また、上記の考えに基づけば、スラブ表層からある程度の深さに原因が存在する欠陥に対しても、その効果を発揮することができるので、例えば、製鋼起因のヘゲ、スリバー等にもその効果を望むことができる。
【手続補正５】
【補正対象書類名】明細書
【補正対象項目名】００１８
【補正方法】変更
【補正の内容】
【００１８】
図２は、スラブ加熱温度を１１５０〜１２００℃に規制して熱間圧延した電気亜鉛めっき鋼板用の熱延母板（ＪＩＳ規格：ＳＰＨＣ）における、山型スケールの発生レベルと粗圧延最終パスの圧下率との関係を示したものである。ここで、山型スケールの発生レベルとは、山型スケールの外観を酸洗ラインの出側で目視観察し、発生のないものを「０」、最悪のレベルを「３」として、０．５単位で評価した値である。この図２から、粗圧延の最終パスの圧下率を４０％以上することにより、山型スケールの発生レベルを０．５以下にまで改善できることがわかる。
【手続補正６】
【補正対象書類名】図面
【補正対象項目名】図２
【補正方法】変更
【補正の内容】
【図２】
2005279714.tif 000001
【手続補正７】
【補正対象書類名】図面
【補正対象項目名】図３
【補正方法】変更
【補正の内容】
【図３】
2005279714.tif 000002